(57)【特許請求の範囲】
【請求項１】
棚枠と、この棚枠に高さ位置を定めて上下に複数段として取り付けられる棚板とを有するＯＡ機器載置棚において、前記棚板上の任意所望位置に固定され左右にレール部を有するベースと、このベースの前記レール部にそって引き出し自在に設けられた機器積載棚と、前記ベースと機器積載棚とを連結し前記ベースに対し機器積載棚を挿入したとき２つの折り状に折曲されるケーブルガイドとを具有し、前記機器積載棚上にＯＡ機器類を搭載し、そのケーブルを前記ケーブルガイドに通して配線するようにしたことを特徴とするＯＡ機器積載装置。
【請求項２】
前記棚板は一定の間隔をおいてスリット状に穿設された多数の係止孔を有し、この係止孔に前記ベースを係止具により固定するようにされている請求項１記載のＯＡ機器積載装置。
【請求項３】
前記機器積載棚は一定の間隔をおいてスリット状に穿設された多数の係止孔を有し、機器積載棚上に搭載したＯＡ機器類の落下防止具を前記係止孔に係着してＯＡ機器類を固定するようにされている請求項１または２記載のＯＡ機器積載装置。
【発明の詳細な説明】
【０００１】
【発明の属する技術分野】
本発明はＯＡ機器類を積載する載置棚に係り、特にＯＡ機器類の設置や移動、メンテナンスの容易化を図るとともにケーブル等に無理な力がかかることなくかつ整然と配線することができるＯＡ機器積載装置に関する。
【０００２】
【従来の技術】
従来からＯＡ機器を効率よく収納する手段としてＯＡ機器を積載して収納するＯＡ機器載置棚が一般に用いられる。
【０００３】
従来使用されているＯＡ機器載置棚は、図１１にその一例を示すように、左右の側板ａ、ａ間の上方部に位置を固定して設置される載置棚ｂ、ｂと、側板ａ、ａの下部間に出し入れ自在とされた移動棚ｃとで構成され、前記載置棚ｂ、ｂ上にはモニタやメンテナンス頻度の低いＯＡ機器類、重量が小さいＯＡ機器類等の機器ｄを載置し、機器の入れ替えやメンテナンス頻度の高いＯＡ機器、重量の大きいＯＡ機器類等の機器ｄ’は前記移動棚ｃに載置するようになされている。
【０００４】
そして地震発生時のことを想定してベルトｅ等の固定用具によりＯＡ機器類を棚に固定しておくようにすることが一般に行われている。
【０００５】
【発明が解決しようとする課題】
しかるに上記構成による従来の載置棚では、これにＯＡ機器類を載置するうえにおいて種々の制約が生じ、使用する際に様々な問題点が指摘される。
【０００６】
すなわちメンテナンス頻度が高いＯＡ機器類の場合、棚上に設置する際に取り出しやすくすることを考慮して周囲に十分な余裕を持たせて載置しなければならず、そのためスペースの有効利用を図ることが難しい。
【０００７】
また簡易に移動させることを想定した下部の移動棚ｃには重量の大きいＯＡ機器類を設置する場合が多いため、メンテナンスを要する機器ｄを引き出す際に他の重い機器も載せたまま一緒に引き出さなければならず、多大な労力を必要とするばかりでなく移動棚ｃを動かすときに誤ってＯＡ機器間のケーブルに無理な力が加わったり、断線を生じるなどの問題があった。
【０００８】
さらに固定的に設置される載置棚ｂ、ｂが側板ａ、ａの上方部間に設けられ、移動棚ｃは側板ａ、ａとは分離されているため載置棚の重心が高い位置となって極めて不安定となり、地震対策として載置棚の側板ａ、ａ自体を個々の載置棚ごとに床に固定させることが必要となり、設置が容易でないという問題点があった。
【０００９】
本発明は上記従来の技術が有する問題点を解消することを課題としてなされたもので、ＯＡ機器類を載置棚の任意所望の位置に設置することができるとともに、サーバー機器類の設置およびその移動やメンテナンスの容易化を図り、加えてメンテナンス時等に機器間のケーブルに無理な力が加わることがなく、かつ整然とした配線処理を可能とするＯＡ機器積載装置を提供するものである。
【００１０】
【課題を解決するための手段】
上記課題を解決する手段として本発明は、棚枠と、この棚枠に高さ位置を定めて上下に複数段として取り付けられる棚板とを有するＯＡ機器載置棚において、前記棚板上の任意所望位置に固定され左右にレール部を有するベースと、このベースの前記レール部にそって引き出し自在に設けられた機器積載棚と、前記ベースと機器積載棚とを連結し前記ベースに対し機器積載棚を押入したとき２つ折り状に折曲されるケーブルガイドとを具有し、前記機器積載棚上にＯＡ機器類を搭載し、そのケーブルを前記ケーブルガイドに通して配線するようにしたことを特徴とする。
【００１１】
請求項２は、前記棚板に一定の間隔をおいてスリット状の多数の係止孔を穿設し、この係止孔に前記ベースを係止具により固定するようにしたものであり、請求項３は、前記機器積載棚に一定の間隔をおいてスリット状の多数の係止孔を穿設し、機器積載棚上に搭載したＯＡ機器類の落下防止具を前記係止孔に係着固定するようにしたもである。
【００１２】
いずれにおいても、機器積載棚にＯＡ機器類を搭載して棚枠の奥方向へ押し込めば、機器積載棚がベースのレール部にそってスライドし、搭載されたＯＡ機器類を棚枠内に格納することができる。このときケーブルガイドは２つ折り状に折り畳まれて機器積載棚の動きに追従し、このケーブルガイドに指示されているケーブルが乱脈になることがない。
【００１３】
【発明の実施の形態】
以下、本発明を図面に示す実施の形態を参照して説明する。
【００１４】
図１は本発明によるＯＡ機器積載装置の一実施形態を示し、便宜上棚枠１の棚板２、２を取り出した状態として重複して示している。
【００１５】
前記棚枠１は室内に安定して直立設置し得るよう、４隅部の柱材３、３、３、３と底枠４と天面部５とで構成され、前記柱材３、３の対向面には従来の載置棚と同様に棚板２、２を任意の高さ位置に取り付けるための棚板支持孔６が上下方向に一定の間隔において多数列設されており、この支持孔６に係止する支持具（図示省略）により棚板２の下面４隅部を任意所望の高さ位置で支持するようになっている。
【００１６】
前記棚板２は、その前後部に前後方向に長いスリット状の係止孔７が一定の間隔において横方向に多数列設されている。
【００１７】
ベース８は、図２（Ａ）〜（Ｃ）にその組み立て順として示しているように、レール部を構成する断面が略コ字状を有する左右のレール部材９、９と、このレール部材９、９の溝部分９ａを対向してその両者に溶接等により固着して結合する横桟１０ａ、１０ｂ、１０ｃとで構成され、このレール部材９の底面部９ｂの前後部には前記棚板２の前後の係止孔７に整合するスリット状の支持孔１１，１１が穿設されている。
【００１８】
前記横桟のうち後端の横桟１０ｃは断面コ字状とされていて、図３にみられるように前記棚板２の後端縁に係合させることができるようになっている。また前記レール部材９の底面部９ｂには、図３に示すように前記棚板２の係止孔７に挿入して引っ掛けることによりベース８を固定するためのフック状の係止具１２，１２がビス１３等により固着されている。
【００１９】
前記機器積載棚１４は、図２（Ｃ）に示すように前記ベース８のレール部材９，９の溝部分９ａに図示しないベアリング等を用いてスライド自在に嵌合される左右のスライダ１５，１５と、このスライダ１５，１５間にビス１６等により固着される板材１７とで構成され、この板材１７の前後部には機器落下防止具としてのバンド１８，１８（図６示）の下端の係止金具１９，１９を引っ掛けて止めるためのスリット状の係止孔２０が横方向に列設されている。なお上記バンド１８，１８はその上端のバックル２１を係着することで機器積載棚１４上に機器２２をホールドするようになされている。
【００２０】
前記板材１７の手元側には、機器積載棚１４の引き出し用の取手２３が設けられている。
【００２１】
ケーブルガイド２４は、図４〜図８に示すようにピン２５により折曲自在に連結された前後のアーム２６，２７で構成されており、後部アーム２７の後端は図８（Ａ）に示すように前記ベース８の後端部の横桟１０ｃに設けられた取付孔１０ｄ、１０ｄのいずれかに係止用突起２８ａを装着して着脱可能に固着される軸受部２８にピン２９により起状自在に枢支され、前部アーム２６の前端は前記機器積載棚１４の板材１７の後端部に設けられた取付孔１７ａ、１７ａのいずれかに係止用突起３０ａを挿着して着脱可能に固着される軸受部３０にピン３１により起状自在に枢支されていて、ベース８に対し機器積載棚１４を最大限引き出したとき図７（Ａ）のように側面視偏平山形状に伸展し、最大限押し込んだとき図７（Ｂ），（Ｃ）のように２つ折り状に折り畳まれるようになっている。
【００２２】
なお上記ケーブルガイド２４は、単体でオプションとして提供することができる。またその前部アーム２６および後部アーム２７の取り付けは、係止用突起による係止に代えてネジ止めによるものとしてよい。
【００２３】
前記各アーム２６，２７の上面には機器間または機器と電源とを接続するケーブル３２を通すための所要数のケーブル受３３，３３…が固設されており、このケーブル受３３は上面がスリット状に開口されていてこのスリット３３ａからケーブル３２をケーブル受３３内に嵌入させて保持させることができるように形成されている。なおこのケーブル受３３の構成は図示の形状構造に限られるものではなく、他にフック状のケーブル受をアーム２６，２７に懸吊するようにしてもよい。
【００２４】
次に作用を説明する。
図１に鎖線で示しているように、メンテナンスを要しないような機器２２’，２２’は棚枠１の棚板２上に直接搭載し、メンテナンスを要するような機器２２，２２は前記棚板２の係止孔７を利用して係止具１２により固定したベース８から機器積載棚１４を引き出してその上に搭載し、必要により図６のようにバンド１８，１８により固定して安全を図る。
【００２５】
こうして機器積載棚１４を押し込めば、該積載棚１４はそのスライダ１５，１５がベース８のレール部材９，９にそってスライドし、ベース８上に移行して棚枠１内に格納される。またケーブルガイド２４は機器積載棚１４の押し込みに追従して図５（Ａ）のように２つ折り状に折り畳まれる。
【００２６】
メンテナンス時には、機器積載棚１４の取手２３に手を掛けて引き出せば、機器積載棚１４はベース８から図５（Ｂ）のように引き出され、機器積載棚１４上の機器２２が棚枠１外に露出して容易にメンテナンスを行うことができる。このときケーブルガイド２４は山形状に伸展し、これに支持されているケーブル３２は無理なく追従して伸展し、断線や接続部の離脱等を生じることがない。
【００２７】
図９、図１０は大型の機器２２’’を搭載する場合の例を示すもので、隣接する２基の機器積載棚１４，１４に跨って大型の機器２２’’を搭載するようになされる。この場合は、隣接の機器積載棚１４，１４の板材１７，１７の前端に両板材１７，１７に跨って長さ調節可能とされたハンドルバー３４をネジ３５等により取り付けるようにし、このハンドルバー３４を持って左右の機器積載棚１４，１４を同時に引き出しまたは押し込みができるようにされている。このような使用例においてはケーブルガイド２４は一方のみに設ければ足りる。
【００２８】
またケーブルガイド２４は、機器の配線口に合わせて右または左に寄せて取り付けるようにされる。
【００２９】
【発明の効果】
以上説明したように本発明によれば、メンテナンスを要する機器を必要時に棚枠外に引き出してメンテナンスを行うことができるので、メンテナンスの都度いちいち棚から機器を下ろす必要がなく、メンテナンスの作業を容易かつ迅速に行うことができるとともに、棚上で設置する機器間に取り出し用のスペースを確保しておく必要がないので棚面をフルに活用して機器を載置することができる。
【００３０】
また機器に接続されるケーブルは、ベースと機器積載棚とを連結する折曲自在なケーブルガイドにそって保持されるので、ケーブルが錯綜することがなく、整然とした状態に配線することができ、景観を損なうことがない。またケーブルガイドは機器の引き出しおよび格納動作に追従して折曲されるので、場所をとることがなく、それでいてケーブルを傷めることがない。
【図面の簡単な説明】
【図１】本発明の一実施形態を示し、便宜上棚板を分離して示す斜視図。
【図２】（Ａ）〜（Ｃ）は図１におけるベースおよび機器積載棚の組み立て過程を示す斜視図。
【図３】（Ａ），（Ｂ）は同、棚板への取り付け状況を示す斜視図。
【図４】（Ａ），（Ｂ）はケーブルガイドの取り付け状況を示す斜視図。
【図５】（Ａ），（Ｂ）は機器積載棚およびケーブルガイドの作動状態を示す斜視図。
【図６】機器積載棚上に機器を固定した状態を示す斜視図。
【図７】本発明によるＯＡ機器積載装置の作動状態を示し、（Ａ）は機器積載棚を引き出した状態の側面図、（Ｂ）は同格納した状態の側面図、（Ｃ）は同正面図。
【図８】ケーブルガイドを折り畳んだ状態の拡大斜視図。
【図９】大型の機器を搭載する場合の一例を示す斜視図。
【図１０】同、機器を搭載した状態を示す斜視図。
【図１１】従来のＯＡ機器載置棚を示す斜視図。
【符号の説明】
１  棚枠
２  棚板
７  係止孔
８  ベース
９  レール部材
１２  係止具
１４  機器積載棚
１５  スライダ
１７  板材
１８  落下防止用バンド
【図１】
0004489280.tif 000002
【図２】
0004489280.tif 000003
【図３】
0004489280.tif 000004
【図４】
0004489280.tif 000005
【図５】
0004489280.tif 000006
【図６】
0004489280.tif 000007
【図７】
0004489280.tif 000008
【図８】
0004489280.tif 000009
【図９】
0004489280.tif 000010
【図１０】
0004489280.tif 000011
【図１１】
0004489280.tif 000012